(57)【要約】【課題】ＤＶＤなどのディスクトレー開閉操作部などへの不用意なタッチを確実に防止でき、種々の機器に対して取り付けが可能な操作部カバー装置を提供する。【解決手段】機器類の操作部をカバーするための操作部カバー装置であって、操作部カバー装置１を機器類に取付けるための取付部材３と、取付部材３に一端が回動可能に取り付けられて操作部をカバーするためのカバー体５と、カバー体５が操作部をカバーする回動位置でカバー体５の開放方向への回動をロックするロック機構７と、ロック状態の解除操作をするロック解除操作部４１とを備え、前記ロック状態において前記取付部材の取付面と前記カバー体との成す角度が６０度以上２７０度以下の範囲になるように設定されていることを特徴とする。【選択図】  図１
2008198450.tif 000002
【特許請求の範囲】
【請求項１】
機器類の操作部をカバーするための操作部カバー装置であって、
該操作部カバー装置を前記機器類に取付けるための取付部材と、該取付部材に一端が回動可能に取り付けられて前記操作部をカバーするためのカバー体と、該カバー体が前記操作部をカバーする回動位置で前記カバー体の開放方向への回動をロックするロック機構と、ロック状態の解除操作をするロック解除操作部とを備え、前記ロック状態において前記取付部材の取付面と前記カバー体との成す角度が６０度以上２７０度以下の範囲になるように設定されていることを特徴とする操作部カバー装置。
【請求項２】
ロック解除操作部が取付部材に設けられていることを特徴とする請求項１に記載の操作部カバー装置。
【請求項３】
ロック機構は、ロック状態以外の状態においてカバー体の回動を、該カバー体が自重では回動できない程度に規制する機能を備えていることを特徴とする請求項１又は２に記載の操作部カバー装置。
【請求項４】
ロック機構は、カバー体を複数の角度でロックできるように構成されていることを特徴とする請求項１〜３のいずれか一項に記載の操作部カバー装置。
【請求項５】
ロック機構は、カバー体の回動軸側に設けられたロック溝と、該ロック溝に挿入されて前記カバー体の回動を禁止する挿入部を有する挿入片と、を備えてなることを特徴とする請求項１〜４のいずれか一項に記載の操作部カバー装置。
【請求項６】
挿入部を常時挿入方向に付勢する付勢手段を備えていることを特徴とする請求項５に記載の操作部カバー装置。
【請求項７】
挿入部は、カバー体の回動軸側に押圧されて、挿入部がロック溝に挿入されていない状態でカバー体の回動を規制するように構成されていることを特徴とする請求項６に記載の操作部カバー装置。
【請求項８】
カバー体は、設置状態で操作部側となる面に、操作部側に操作部を跨ぐように突出する突出部を有することを特徴とする請求項１〜７のいずれか一項に記載の操作部カバー装置。
【発明の詳細な説明】
【技術分野】
【０００１】
本発明は、例えばＤＶＤデッキにおけるディスクトレーの開閉スイッチなどの機器類の操作部への不用意なタッチを防止するために設ける操作部カバー装置に関する。
【背景技術】
【０００２】
ＤＶＤデッキやパソコンなどのディスクトレーは、これらＤＶＤデッキやパソコンの本体前面に延び出すように設けられている。そして、ディスクトレーを開閉するためのスイッチ等の操作部はＤＶＤデッキやパソコンの本体前面に設けられ、操作部に軽く触れただけで、ディスクトレーの開閉ができるようになっている。
ディスクトレーの開動作の際には、トレーが機器の前面に延び出してくるが、ディスクトレーは、薄いディスクを載置するものであり、延び出した状態では、壊れ易いものである。
【０００３】
このように、開閉用の操作部は軽く触れるだけで動作し、そのような動作によって壊れ易いディスクトレーが延び出してくる。そのため、子供やペットなどの操作部への不用意なタッチによってディスクトレーが延び出してきて、その状態で子供やペットのいたずらによって壊れてしまう危険性が高いものである。
以上のような背景から、開閉操作部への不用意なタッチを防止する必要がある。
【０００４】
この点、このような要請のもとに、従来、パソコンのスイッチ部の上面に板状のマジックテープ（登録商標）を付着させ、その板状のものからスイッチ部の上部を穿設してスイッチ部だけ露見出来るように凹部を形成し、その上面に、下面にマジックテープを貼着させたプラスチック板を乗せ、その一方を付設して、その付設部の端を軸としてスイッチ部の上面を開閉できる構造とした、パソコンスイッチ安全装置が提案されている（特許文献１参照）。
【特許文献１】実開平５−９７０２５号公報
【発明の開示】
【発明が解決しようとする課題】
【０００５】
特許文献１に示されたパソコンスイッチ安全装置は、カバー体となるプラスチック板をマジックテープで止める構造であり、マジックテープが外れ易いことから子供のいたずらを確実に防止することができない。
また、カバー体となるプラスチック板がカバー状態で取り付け部と平面視で重なる構造であるため、パソコンの主電源のスイッチなどのカバーとしては使用できる可能性はあるが、パソコンのディスクトレーのようにディスクトレーの前面にスイッチが設けられているようなものでは、ディスクトレーが動作不能になってしまい使用できない。
【０００６】
また、ＤＶＤデッキの場合でも、ディスクトレーの開閉用の操作部を設けている前面には種々の操作部やディスプレイが設けられているので、カバー体と該カバー体を取付ける取付部とが平面視で重なる構造では、現実には極めて限られた場合しか対応できない。
【０００７】
本発明はかかる課題を解決するためになされたものであり、ＤＶＤなどのディスクトレー開閉用の操作部などへの不用意なタッチを確実に防止でき、種々の機器に対して取り付けが可能な操作部カバー装置を提供することを目的としている。
【課題を解決するための手段】
【０００８】
（１）本発明に係る操作部カバー装置は、機器類の操作部をカバーするための操作部カバー装置であって、該操作部カバー装置を前記機器類に取付けるための取付部材と、該取付部材に一端が回動可能に取り付けられて前記操作部をカバーするためのカバー体と、該カバー体が前記操作部をカバーする回動位置で前記カバー体の開放方向への回動をロックするロック機構と、ロック状態の解除操作をするロック解除操作部とを備え、前記ロック状態において前記取付部材の取付面と前記カバー体との成す角度が６０度以上２７０度以下の範囲になるように設定されていることを特徴とするものである。
【０００９】
ロック状態において前記取付部材の取付面と前記カバー体との成す角度が６０度以上２７０度以下の範囲になるように設定することにより、前記ロック状態において前記カバー体におけるカバー部と前記取付部材とが平面視で重ならず、例えば本装置をＤＶＤデッキのディスクトレーに使用する場合には、取付部材をＤＶＤデッキの上面に取り付け、カバー体で前面パネルに設けられたディスクトレー開放操作部をカバーすることができる。
なお、操作部とは、各種のスイッチ、操作ボタン、あるいはビデオテープの挿入口など機器類に設けられた一定の機能を有する部分をいう。
なお、カバー体はカバーする操作部の大きさに対応して形成するのが好ましい。
【００１０】
（２）また、上記（１）に記載のものにおいて、ロック解除操作部が取付部材に設けられていることを特徴とするものである。
ロック解除操作部が、取付部材に設けられていることから、カバー体の配置されるのと異なる位置にロック解除操作部が設けられることになり、通常、取付部材は機器類の前面ではない面に取り付けられるので、ロック解除が不用意にされるのを可及的に防止できる。
【００１１】
（３）また、上記（１）又は（２）に記載のものにおいて、ロック機構は、ロック状態以外の状態においてカバー体の回動を、該カバー体が自重では回動できない程度に規制する機能を備えていることを特徴とするものである。
カバー体が自重では回動できない程度に規制することにより、カバー体による不用意なカバーを防止できる。
【００１２】
（４）また、上記（１）〜（３）のいずれかに記載のものにおいて、ロック機構は、カバー体を複数の角度でロックできるように構成されていることを特徴とするものである。
カバー体を複数の角度でロックできるように構成することにより、機器類において取付部材を設置する部分とカバー対象となる操作部が設けられた部分との成す角度に対応した設置ができる。
【００１３】
（５）また、上記（４）に記載のものにおいて、ロック機構は、カバー体の回動軸側に設けられたロック溝と、該ロック溝に挿入されて前記カバー体の回動を禁止する挿入部を有する挿入片と、を備えてなることを特徴とするものである。
【００１４】
（６）また、上記（５）に記載のものにおいて、挿入部を常時挿入方向に付勢する付勢手段を備えていることを特徴とするものである。
【００１５】
（７）また、上記（６）に記載のものにおいて、挿入部は、カバー体の回動軸側に押圧されて、挿入部がロック溝に挿入されていない状態でカバー体の回動を規制するように構成されていることを特徴とするものである。
【００１６】
（８）また、上記（１）〜（７）のいずれかに記載のものにおいて、カバー体は、設置状態で操作部側となる面に、操作部側に操作部を跨ぐように突出する突出部を有することを特徴とするものである。
枠部を形成することで、操作部をカバーした状態において、例えば乳幼児がカバー体を機器類側に押したとしても、枠部が機器類のパネルに当接するだけで、操作部が押されることがなく、誤操作を確実に防止できる。
【発明の効果】
【００１７】
本発明においては、カバー体のロック状態において前記カバー体におけるカバー部と前記取付部材とが平面視で重ならないように構成されているので、取付部材を、機器類における操作部の設けられた面と異なる面あるいはずれた位置に取り付けることができ、例えばＤＶＤデッキのような操作部の設けられたパネル面には他の部材を取付けることができない場合にも取り付けることができる。
【発明を実施するための最良の形態】
【００１８】
本実施の形態は、ＤＶＤデッキのディスク開閉用の操作部に対する例えば幼児の悪戯のような不用意な操作を防止するためのものである。図１は、本発明の一実施の形態に係る操作部カバー装置１の全体形状を示す斜視図である。
以下、図に基づいて本実施の形態にかかる操作部カバー装置１を説明する。
【００１９】
本実施の形態に係る操作部カバー装置１は、操作部カバー装置１をＤＶＤデッキに取り付けるための取付部材３と、取付部材３に一端が回動可能に支持されたカバー体５と、取付部材３に設けられてカバー体５の回動を規制するロック機構７とを備えている。
以下の説明において、取付部材３の「前」とは、カバー体５が設けられる側をいい、「後」とはその反対側をいう。また、カバー体５における「基端」とはカバー体５が取り付けられる取付部材側をいい、「先端」とは基端と逆の端をいう。
以下、各構成を詳細に説明する。
【００２０】
＜取付部材＞
取付部材３は、図１、図２、図３に示されるように、後端が円弧状に形成され前端側が矩形に形成された底板部９と、底板部９の前方約半分の位置に形成されたロック機構７を収納するロック機構収納部１１と、を備えている。
ロック機構収納部１１は、図２、図３に示すように、矩形の枠状に形成され、周縁部にはロック機構収納部１１を覆う蓋体１３（図１参照）の周縁が係止する係止枠１５が設けられている。
ロック機構収納部１１の中央部には、両側壁１７ａ、１７ｂ、両側壁１７ａ、１７ｂの間に設けられた対向する立壁１９ａ、１９ｂに囲まれた細い空間からなるバネ収納部２１が形成されている。図３において、収納されるバネ２３を破線で示している。
また、両側壁１７ａ、１７ｂの片方の側壁１７ａの内側には後述する操作片３５のガイド溝５７が挿入されるガイド壁２５が立設されている。
【００２１】
＜カバー体＞
図４は、カバー体５の説明図であり、図の下半分が裏面から見た図であり、図の上半分が上面から見た図である。
カバー体５は、先端側が円弧状に形成され、基端側に円柱体２７が形成され、この円柱体２７の両端に外側に突出する回動軸２９が形成されている。
カバー体５の表面側は、図４の上半分の図に示されるように、平坦面になっている。一方、裏面側は、図４の下半分の図に示されるように、周囲に下方に突出する壁体からなる枠部３１が形成されている。
【００２２】
枠部３１を形成することで、操作部をカバーした状態において、例えば乳幼児がカバー体５を機器類側に押したとしても、枠部３１が機器類のパネルに当接するだけで、操作部が押されることがなく、誤操作を確実に防止できる。
また、枠部３１を形成することにより、カバー体５の強度を増す効果もある。基端部の円柱体２７の中央部には、幅方向に延びるロック溝３３が形成されている。ロック溝３３には、後述する操作片３５の挿入部３７が挿入される。
【００２３】
＜ロック機構・ロック解除操作部＞
図５〜図７はロック機構７を構成する一つの部品である操作片３５の説明図であり、図５が平面図、図６が矢視Ａ−Ａ図、図７が矢視Ｂ−Ｂ断面図である。
操作片３５は、図２に示されるように、取付部材３のロック機構収納部１１に設置される。操作片３５は、平面視で略矩形状をしており（図２、図５参照）、前辺側には下方に垂下する前壁３９が設けられ（図６、図７参照）、この前壁３９には前壁３９から前方に突出する挿入部３７が設けられている。この挿入部３７は、カバー体５のロック溝３３に挿入されてカバー体５の回動を禁止するものである。操作片３５の上面には、上方に突出するロック解除操作部４１を有している。
操作片３５の下面には、両側壁４３ａ、４３ｂと、両側壁４３ａ、４３ｂの中央部に形成されたバネ押え片部４５と、ガイド溝５７が設けられている。
【００２４】
操作片３５は、図２に示す取付部材３のロック機構収納部１１に設置される。設置状態では、両側壁４３ａ、４３ｂが収納部の両側壁１７ａ、１７ｂの内側に当接すると共に、ガイド溝５７にロック機構収納部１１のガイド壁２５が挿入される。また、図２に示すように、操作片３５の両側端下面５８ａ、５８ｂ（図６参照）が、ロック機構収納部１１の両側壁１７ａ、１７ｂの上端面に載置され、両側壁１７ａ、１７ｂの上端面上を前後にスライドして移動する。
【００２５】
また、操作片３５の設置状態では、ロック機構収納部１１に設置されたバネ２３の前端が操作片３５の前壁３９に当接する（図７参照）。したがって、操作片３５は、ロック機構収納部１１に設置された状態では、バネ２３によって、常時、前方に付勢された状態となる。このとき、バネ押え片部４５がバネ２３の上方に位置し、バネ２３が上方に撓むのを防止する。
また、操作片３５の設置状態では、図１に示すように、ロック解除操作部４１が蓋体１３の開口部から上方に突出して操作できるようになっている。
以上の説明から明らかなように、本実施の形態においては、ロック機構７は操作片３５とカバー体５のロック溝３３から構成される。
【００２６】
以上のように構成された本実施の形態の動作を説明する。
図２には取付部材３の取付面とカバー体５の成す角度が約１８０度の状態が示されているが、この状態では、バネ２３によって操作片３５が前方、すなわちカバー体５側に押されている。そのたため、挿入部３７の先端がカバー体５の円柱体２７に一定の押圧力で当接している（図２参照）。このため、図２に示す状態では、カバー体５は外部から回動力を与えると回動可能ではあるが、自重によっては回動しない状態になっている。
【００２７】
図２に示す状態から、カバー体５の先端部を下方に押し下げると、カバー体５は回動軸２９を基点として回動する。回動途中においても、挿入部３７の先端がカバー体５の円柱体２７に一定の押圧力で当接しているので、カバー体５は回動可能であるが、自重によって回動することはない。
図８に示すように、取付部材３の取付面とカバー体５の成す角度が約９０度になった状態では、カバー体５に形成されたロック溝３３に挿入部３７が挿入される。これによって、カバー体５は挿入部３７によってロックされ、以後は回動しない状態となる。これがロック状態であり、使用状態においてはＤＶＤデッキのディスクトレー開閉操作部をカバーする状態である。
このように、本実施の形態においては、ロック溝３３に挿入部３７を挿入することにより、カバー体５の回動をロックするようにしたので、カバー体５は他に止め具がなくても片持ち状態で９０度の角度を保持できる。
【００２８】
カバー体５を元の状態に戻すときは、操作片３５をバネ２３の力に抵抗して後方にスライドさせて、挿入部３７をロック溝３３から抜き出し、この状態で、カバー体５を前記とは逆方向に回動させ、図１に示す状態に戻す。
【００２９】
次に、本実施の形態に係る操作部カバー装置１を、ＤＶＤデッキ５９のディスクトレー開閉操作部６１のカバーとして使用した場合の使用方法を説明する。
図９は、操作部カバー装置１をＤＶＤデッキ５９に設置した状態を示している。操作部カバー装置１は、カバーしたいディスクトレー開閉操作部６１の近傍におけるＤＶＤデッキ５９の上面６３に、取付部材３を、例えば両面テープなどで固定する。
そして、ディスクトレー開閉操作部６１を操作する際には、図９に示すように、カバー体５が取付部材３の底板と平行に真っ直ぐに伸び出した状態にしておく。この状態でも、上述したように、カバー体５の基部の円柱体２７が、操作片３５の挿入部３７によって押圧されており、自重によって回動することがない。
【００３０】
次に、ディスクトレー開閉操作部６１をカバーする場合には、図１０に示すように、手指でカバー体５の先端を下方に押し下げ、カバー体５を、取付部材３の取付面に対する角度が略９０度になるまで回動させる。この状態では、図８に示すように、ロック溝３３に挿入部３７が挿入されてカバー体５の回動がロックされる。このとき、図１１に示すように、カバー体５はディスクトレー開閉操作部６１を前方から覆うため、ディスクトレー開閉操作部６１が前面から操作できない状態となる。このため、乳幼児のいたずらや、ペットなどによる不用意な操作が確実に防止できる。
【００３１】
次に、図１１に示す状態から、ディスクトレー開閉操作部６１の操作をするためにカバー体５を退避させる際の操作方法を説明する。図１２に示すように、一方の手指でロック解除操作部４１を後方にスライドさせ、この状態を保持したままで、他方の手指でカバー体５の先端を押し上げるようにする。
このように、カバー体５の退避には、ロック解除操作部４１のスライドとカバー体５の回動という２つの操作を同時に行う必要があり、そのような操作は幼児やペットにはできないので、カバー体５が不用意に外れることがなく、安全である。
【００３２】
以上のように、本実施の形態の操作部カバー装置１は、取付部材３と、カバー体５とがＤＶＤデッキ５９の異なる面に配置できるので、ＤＶＤデッキ５９においてカバー対象となる操作部が設けられている面と異なる面に取付部材３を取付けることができ、カバー対象となる操作部が設けられている前面の状態に関わらず取り付けることができる。
【００３３】
また、本実施の形態の操作部カバー装置１は、操作部をカバーするための操作においては、片方の手指でカバー体５を押し下げるだけでよく、操作が非常に簡単である。
他方、操作部のカバーを解除する場合は、一方の手指でロック解除操作部４１を操作してその状態を保持して、他方の手指でカバー体５を押し上げるという二つの動作を同時に行わなければならず、乳幼児やペットではこのような操作をすることは困難なので、容易にカバーの解除ができず安全な構造となっている。
【００３４】
なお、上記の実施の形態では、カバー体５によって操作部をカバーする状態が、取付部材３に対して略９０度回動した状態であるが、本発明はこれに限られるものではなく、取付部材３に対して、例えば４５度回動させた状態、すなわちカバー体５と取付部材３の取付面の成す角度が約１３５度になった状態で操作部をカバーするようにしてもよい。この場合には、カバー体５を４５度回動させたときに、ロック溝３３に挿入部３７が挿入されるように、ロック溝３３の形成位置を設定すればよい。
なお、取付部材３に対するカバー体５のロック状態での回動角度を何度にするかは、ＤＶＤデッキ５９の操作部が設けられている面と取付部材３を設置する面との角度に合わせて設定すればよい。具体的には、取付部材３の取付面とカバー体５の成す角度は、６０度〜２７０度の範囲で適宜設定すればよい。
また、複数の角度に対応できるようにするために、ロック溝３３を複数設けるようにしてもよい。
【００３５】
また、上記の実施の形態のカバー体５は一枚の板状部材から形成したが、本発明はこれに限られるものではなく、例えばカバー体を、２枚の板材をスライド可能に重ねることによりその大きさを自在に変えることができるような構造にしてもよい。
また、上記の実施の形態においては、カバー体５が取付部材３に対して水平になった状態（図１参照）でカバー体５の退避状態となる例を示したが、本発明はこれに限られるものではなく、退避状態でカバー体５が図１に示す状態からさらに上方に回動して退避状態となるようにしてもよい。
【００３６】
また、上記の実施の形態においては、ロック機構７及びロック解除操作部４１を取付部材３に設けた例を示したが、本発明はこれに限られるものではなく、カバー体にロック機構及びロック解除操作部を設けるようにしてもよい。この場合の構造については種々のものが考えられるが、例えばカバー体側にカバー体が所定の回動角度のときに取付部材と係止してカバー体の回動を禁止する係止具を設けると共に、この係止具の係止解除操作を行う操作ボタンをカバー体の側面に設け、操作ボタンを押し込むことでロック解除操作ができるようにしてもよい。
【００３７】
また、上記の実施の形態においては、ＤＶＤデッキ５９におけるディスクトレーの開閉操作部のカバーとして用いた例を示したが、本発明はこれに限られるものではなく、パソコン、ビデオデッキ、ファンヒータ等のその他の機器の操作部カバーとしても広く使用することができる。
そして、カバー体の形状はカバーする操作部の形状に合わせればよく、例えば、ビデオデッキのビデオテープ挿入口をカバーする場合には、カバー体の形状をビデオテープ挿入口に合わせて横長の長方形にすればよい。このようにすることにより、ビデオテープ挿入口へ乳幼児が指を挿入したり、おもちゃを挿入したりするのを防止できる。
【図面の簡単な説明】
【００３８】
【図１】本発明の実施の形態１に係る操作部カバー装置の斜視図である。
【図２】本発明の実施の形態１に係る操作部カバー装置の構造を説明する説明図である。
【図３】本発明の実施の形態１に係る操作部カバー装置の取付部材の説明図である。
【図４】本発明の実施の形態１に係る操作部カバー装置のカバー体の説明図である。
【図５】本発明の実施の形態１に係る操作部カバー装置の操作片の平面図である。
【図６】図５の矢視Ａ−Ａ線図である。
【図７】図５の矢視Ｂ−Ｂ断面図である。
【図８】本発明の実施の形態１に係る操作部カバー装置の動作説明図である。
【図９】本発明の実施の形態１に係る操作部カバー装置の使用状態の説明図である（その１）。
【図１０】本発明の実施の形態１に係る操作部カバー装置の使用状態の説明図である（その２）。
【図１１】本発明の実施の形態１に係る操作部カバー装置の使用状態の説明図である（その３）。
【図１２】本発明の実施の形態１に係る操作部カバー装置の使用状態の説明図である（その４）。
【符号の説明】
【００３９】
１  操作部カバー装置
３  取付部材
５  カバー体
７  ロック機構
２３  バネ
２７  円柱体
２９  回動軸
３５  操作片
３７  挿入部
４１  ロック解除操作部
【図１】
2008198450.tif 000003
【図２】
2008198450.tif 000004
【図３】
2008198450.tif 000005
【図４】
2008198450.tif 000006
【図５】
2008198450.tif 000007
【図６】
2008198450.tif 000008
【図７】
2008198450.tif 000009
【図８】
2008198450.tif 000010
【図９】
2008198450.tif 000011
【図１０】
2008198450.tif 000012
【図１１】
2008198450.tif 000013
【図１２】
2008198450.tif 000014